(57)【要約】【課題】より確実に立ち上がる立体ギャザーを有する吸収性物品を提供する。【解決手段】液透過性のトップシートと、液不透過性のバックシートと、トップシートとバックシートとの間に介在する吸収体と、バックシートに接合されるカバーシートと、吸収体の一対の側縁部長手方向に沿って設けられ、一端部がトップシート、バックシートおよびカバーシートのうちの少なくとも１つにそれぞれ接合される一対のサイドシートと、を備え、一対のサイドシートは、他端部に立体ギャザーを形成する伸縮部材が伸張状態で配され、腹側部、股下部および背側部を有する吸収性物品であって、一対のサイドシートは、腹側部または背側部における一端部から他端部までの立体ギャザーの有効長よりも股下部における一端部から他端部までの立体ギャザーの有効長が短いことを特徴とする。【選択図】図４
2019118502.tif 000002
【特許請求の範囲】
【請求項１】
液透過性のトップシートと、液不透過性のバックシートと、前記トップシートと前記バックシートとの間に介在する吸収体と、前記バックシートに接合されるカバーシートと、
前記吸収体の一対の側縁部長手方向に沿って設けられ、一端部が前記トップシート、前記バックシートおよび前記カバーシートのうちの少なくとも１つにそれぞれ接合される一対のサイドシートと、を備え、前記一対のサイドシートは、他端部に立体ギャザーを形成する伸縮部材が伸張状態で配され、腹側部、股下部および背側部を有する吸収性物品であって、
前記一対のサイドシートは、前記腹側部または前記背側部における前記一端部から前記他端部までの前記立体ギャザーの有効長よりも前記股下部における前記一端部から前記他端部までの前記立体ギャザーの有効長が短いことを特徴とする吸収性物品。
【請求項２】
前記一対のサイドシートは、前記他端部側が前記トップシートから離れる方向に折り返される折り返し部をさらに有し、前記折り返し部と相互に重なり合う前記一対のサイドシートの部分とを接合する接合部が形成され、これにより前記立体ギャザーの有効長が短くなっていることを特徴とする請求項１に記載の吸収性物品。
【請求項３】
前記接合部の幅方向の長さは、長手方向中央に対して、長手方向外側が短いことを特徴とする請求項２に記載の吸収性物品。
【請求項４】
一方の前記サイドシートの前記一端部と、他方の前記サイドシートの前記一端部との間隔は、長手方向に沿って一定であることを特徴とする請求項１乃至３のいずれか１項に記載の吸収性物品。
【発明の詳細な説明】
【技術分野】
【０００１】
本発明は、立体ギャザーを有する吸収性物品に関するものである。
【背景技術】
【０００２】
従来、使い捨ておむつ（以下、「おむつ」とも言う）等の吸収性物品においては、吸収体の吸収速度や吸収容量以上に排泄物が排出された場合などには、吸収体がこれを吸収できないため、脚周り部分から排泄物が漏れてしまうことがあった。例えば、特許文献１には、こうした漏れを解消するために、吸収体の各側縁から立ち上がる、いわゆる立体ギャザーを有し、この立体ギャザーによって排泄物の漏れを防止する吸収性物品の構成が開示されている。
【先行技術文献】
【特許文献】
【０００３】
【特許文献１】特開２０１４−１８８１０５号公報
【発明の概要】
【発明が解決しようとする課題】
【０００４】
しかしながら、特許文献１に開示されたものは、着用者の姿勢などによって立体ギャザーがつぶれてしまい、立ち上がらず、漏れを防止できなくなるおそれがある。
【０００５】
よって、本発明の目的は、より確実に立ち上がる立体ギャザーを有する吸収性物品を提供することにある。
【課題を解決するための手段】
【０００６】
液透過性のトップシートと、液不透過性のバックシートと、トップシートとバックシートとの間に介在する吸収体と、バックシートに接合されるカバーシートと、吸収体の一対の側縁部長手方向に沿って設けられ、一端部がトップシート、バックシートおよびカバーシートのうちの少なくとも１つにそれぞれ接合される一対のサイドシートと、を備え、一対のサイドシートは、他端部に立体ギャザーを形成する伸縮部材が伸張状態で配され、腹側部、股下部および背側部を有する吸収性物品であって、一対のサイドシートは、腹側部または背側部における一端部から他端部までの立体ギャザーの有効長よりも股下部における一端部から他端部の立体ギャザーの有効長が短いことを特徴とする。
【発明の効果】
【０００７】
本発明によれば、排泄物などの漏れを効果的に防止することができる。
【図面の簡単な説明】
【０００８】
【図１】本発明の一実施形態に係る使い捨ておむつの外観を示す斜視図である。
【図２】本発明の一実施形態に係る使い捨ておむつの分解状態を示す分解斜視図である。
【図３】本発明の一実施形態に係る使い捨ておむつの展開平面図である。
【図４】本発明の一実施形態に係る使い捨ておむつの断面図である。
【発明を実施するための形態】
【０００９】
以下、図面を参照して本発明を詳細に説明する。
【００１０】
図１は、本発明の一実施形態に係る使い捨ておむつの外観において、正面側から見た斜視図である。本実施形態におけるおむつ１０は、腹側部１０Ｆと、背側部１０Ｒと、これら腹側部１０Ｆおよび背側部１０Ｒをつなぐ股下部１０Ｃとを有する。また、本実施形態におけるおむつ１０には、着用者が着用時に腹側部１０Ｆと背側部１０Ｒとで着用者のウエスト部分を取り囲むウエスト周り開口部１０Ｗが形成されている。本実施形態におけるおむつ１０には、腹側部１０Ｆおよび背側部１０Ｒの一部と股下部１０Ｃとで着用者の両脚の太股部分を取り囲む左右一対の脚周り開口部１０Ｌが形成されている。以下、各部位の位置関係について説明する。
【００１１】
図２に示すように、本実施形態における使い捨ておむつ１０は、外側から順にカバーシート１１と、立体ギャザー２１およびレグギャザー３を形成する一対のサイドシート１８と、バックシート１２と、吸収体１３と着用者の肌に触れるトップシート１４と、ウエスト周りシート１６とを重ね接合したものである。さらに、カバーシート１１は、一対のサイドシート１８の下に重ねられるインナーカバーシート１１ａと、胴回りのフィット性を向上させるために糸ゴム等の伸縮部材２０が幅方向（図３の左右方向）に配されているアウターカバーシート１１ｂとに細分され、いずれも良好な手触りを得るために薄い不織布で形成されている。ここで、本明細書および特許請求の範囲における「幅方向」とは、吸収体の前後方向に直交する方向（図３に示す紙面上の吸収性物品の左右方向）であり、「長手方向」とは、吸収体の前後方向（図３に示す紙面上の吸収性物品の上下方向）である。おむつの腹側部１０Ｆおよび背側部１０Ｒを画成するインナーカバーシート１１ａ、アウターカバーシート１１ｂの左右両側縁部が相互に接合されて閉じ合わせ部１０Ｊを形成している。これにより、先のウエスト周り開口部１０Ｗが画成される。カバーシート１１は、腹側部１０Ｆおよび背側部１０Ｒで２つに分離されており、一対のサイドシート１８が露出することとなる。したがって、両脚の太股部分を取り囲む左右一対の脚周り開口部１０Ｌは、この一対のサイドシート１８の端部と閉じ合わせ部１０Ｊの端部とによって画成される。一対のサイドシート１８の端縁部には、立体ギャザー２１を形成するための複数の伸縮部材２０が伸張状態で接合されている。バックシート１２は、この一対のサイドシート１８に接合され、先の吸収体１３は、このバックシート１２とトップシート１４との間に配され、この吸収体１３を介してトップシート１４がバックシート１２に接合される。
【００１２】
トップシート１４は、着用者の肌に当接する吸収体１３の面（以下、「肌当接面」と言う）側の一部を覆うように配されている。また、トップシート１４は、着用者の体液などを吸収体１３にすばやく吸収させるために、液透過性が高く、通気性のある有孔または無孔の不織布や多孔性プラスチックシートなどの素材で形成されていることが好ましい。さらに、不織布の素材として、ポリプロピレンまたはポリエチレンなどのオレフィン系等の合成繊維、レーヨンやキュプラ等の再生繊維、綿等の天然繊維などや、これらの複合繊維や混合繊維などがある。また、それらの繊維素材を加工する方法は、公知の方法として、例えば、スパンレース法、スパンボンド法、サーマルボンド法、メルトブローン法、ニードルパンチ法、エアスルー法、ポイントボンド法などの加工法によって加工された不織布を用いることができる。また、トップシート１４は、１枚のシートからなるものでもよく、２枚以上のシートからなる積層シートなどであってもよい。
【００１３】
バックシート１２は、吸収体１３の非肌当接面側の一部を覆うように配されている。また、着用者の体液などがトップシート１４を透過し、吸収体１３に吸収された体液がおむつから漏れることを防止するために、バックシート１２の素材として、例えば、ポリエチレンなどのオレフィン系樹脂等からなる防水樹脂フィルムを用いることができる。この他にも、マイクロデニール繊維を用いた不織布、熱や圧力をかけることで繊維の空隙を小さくすることによる防漏性強化、高吸収性樹脂または疎水性樹脂や撥水剤の塗工といった方法によって、液不透過性としたシートや、不織布の表面に防水樹脂フィルムを設けたラミネート不織布、防水樹脂フィルムに不織布等を重ねて接合した積層シートなどを用いることができる。さらに、尿や体液から発生するムレを防止する微多孔性シートが好ましい。これらを組み合わせることで、液不透過性と透湿性のあるバックシート１２を用いることができる。
【００１４】
吸収体１３は、トップシート１４とバックシート１２との間に介装されており、着用者の体液などを吸収し保持するものである。吸収体１３は、吸収性材料によって構成され、トップシート１４を透過した液体を吸収する機能を有している。吸収性材料として、例えば、繊維素材や高吸水性ポリマー（Ｓｕｐｅｒａｂｓｏｒｂｅｎｔ  Ｐｏｌｙｍｅｒ；ＳＡＰ）などがある。これらの吸収性材料を積層することにより吸収体１３を形成することができる。吸収体１３は、腹側部１０Ｆ、背側部１０Ｒおよびこれらの間に位置する。吸収体１３の形状は、腹側部１０Ｆおよび背側部１０Ｒと比べて幅が狭い括れ部とを有する砂時計形状のものや長方形形状のものなどであるが、本実施形態の吸収体１３の形状はこれに限らない。
【００１５】
繊維素材は、例えば、広葉樹（ユーカリやポプラなど）および針葉樹（モミやマツなど）から得られる木材パルプや、ワラ、バガス、ヨシ、ケナフなどから得られる非木材パルプや、古紙パルプなどが原料である。これらの原料をパルプにするには、原料をシート状にし、解繊機により木材を破砕する方法で得られる機械パルプと、化学的な反応により木材を分解・分離する方法で得られる化学パルプとがあり、どちらのパルプを用いてもよい。
【００１６】
高吸水性ポリマーには、通常、水の場合は自重の１００倍〜１０００倍の吸水性保持力を有するが、体液の場合は自重の１０倍〜２０倍以上の液吸水性を有し、高吸水性ポリマーには、例えば、デンプン系（デンプン−アクリル酸（塩）グラフト共重合体、デンプン−アクリル酸エチルグラフト共重合体のケン化物等）や、セルロース系（ナトリウムカルボキシメチルセルロースの架橋物等）や、合成樹脂系（アクリル酸（塩）重合体、ポリビニルアルコール−無水マレイン酸反応物の架橋物等）などを用いることができる。
【００１７】
これらの吸収性材料を、それぞれ単独で用いることも可能ではあるが、繊維素材のみを使用した場合は、肌ざわりは良いが吸水性に欠けることがある。逆に、高吸水性ポリマーのみを使用した場合は、吸水性は高いが、剛性も高くなり、ごわつきやすく着用者に不快感を与えることがある。そのため、繊維素材および高吸水性ポリマーを併用し、均一に混合することにより、吸水性が高く、剛性の低い吸収体１３を形成することができる。また、それぞれを層状に配置してもよく、繊維素材と高吸水性ポリマーとの混合する比率は特に限定するものではない。
【００１８】
本実施形態の吸収体１３として、吸収性材料を包装シート１５によって表裏面及び両側面を取り囲むように筒状に巻き付け、ホットメルト接着剤等の接合手段により接合する形態などのものを使用することができる。包装シート１５として、例えば、その素材には、テッシュペーパ、小孔が開いたシート、クレープ紙、不織布、ポリラミ不織布等を用いることができる。ただし、高吸水性ポリマー粒子が抜け出さないシートであることが好ましい。クレープ紙に変えて不織布を使用する場合、親水性のＳＭＳ不織布（ＳＭＳ等）が好適であって、その材質は、ポリプロピレン、ポリエチレン／ポリプロピレン複合材などが使用できる。
【００１９】
ウエスト周りシート１６は、カバーシート１１と、サイドシート１８およびトップシート１４の長手方向（図３の上下方向）の両端部とを覆うようにこれらに接合されている。また、ウエスト回りシート１６は、液不透過性のシートであり、例えば、エアスルー不織布、スパンボンド不織布、ヒートロール不織布、スパンレース不織布などの一般的な不織布を用いられ、エアスルー不織布やスパンボンド不織布によって構成されることが好ましい。
【００２０】
サイドシート１８は、後述の図３および図４（ａ）から図４（ｃ）に示すように、その幅方向の外側端縁を画成する第１の折り返し部１８ａと、幅方向の側端縁を画成する第２の折り返し部１８ｂと、自由端を画成する第３の折り返し部１８ｃとを有する。サイドシート１８は、吸収体の一対の側縁部の長手方向に沿って設けられ、一端部がトップシート１４にそれぞれ接合される。すなわち、幅方向一端側がバックシート１２に重ね合わされるサイドシート１８の幅方向一端部は、トップシート１４の幅方向側縁部に重ね合わされ、トップシート１４に対して一体的に接合され、立体ギャザー２１の起立線１８ｄを画成する。バックシート１２の幅方向側縁部とサイドシート１８との間および第１の折り返し部１８ａには、複数の伸縮部材２０が伸張状態で配され、脚周りにレグギャザー３を画成して着用者の脚周りのフィット性を良好にする。また、サイドシート１８は、他端部に立体ギャザーを形成する伸縮部材が伸張状態で配される。すなわち、このサイドシート１８の他端部である自由端、すなわち第３の折り返し部１８ｃの直近には、立体ギャザー２１を画成するための複数の伸縮部材２０が伸張状態で配されている。サイドシート１８の長手方向の両端部は、第１の折り返し部１８ａと第２の折り返し部１８ｂとの間および第２の折り返し部１８ｂと第３の折り返し部１８ｃとの間のサイドシート１８が相互に重ね合わされた状態のまま、トップシート１４に接合されている。また、一方のサイドシート１８の一端部と、他方のサイドシート１８の一端部との間隔は、長手方向に沿って一定である。この間隔が一定であることで、体液が吸収体と接する面積を確保できる結果、多くの体液の吸収を維持できる。
【００２１】
伸縮部材２０は、糸状または帯状の弾性ゴムであることが好ましい。弾性ゴムのゴム材としては、天然ゴムや、スチレン系ゴム、ウレタン系ゴム、エステル系ゴムなどの合成ゴム等の素材を用いることができる。伸縮部材２０は、サイドシート１８の長手方向の端部にそれぞれ配設され、それぞれ立体ギャザー２１およびレグギャザー３を形成する。伸縮部材２０は、ホットメルト接着剤などの接着手段によって接着されてもよく、またヒートシールなどの熱溶着や超音波溶着によってサイドシート１８に配設される。
【００２２】
左右一対の立体ギャザー２１は、おむつ１０の腹側部１０Ｆおよび股下部１０Ｃ、背側部１０Ｒに亘って、幅方向外側の端部が長手方向に備えられている。立体ギャザー２１は、着用者の脚周りから尿や体液などが漏れるのを防止するために設けられているものである。立体ギャザー２１には、バックシート１２の素材と同様に、ポリプロピレンまたはポリエチレンなどのオレフィン系等の合成繊維、レーヨンやキュプラ等の再生繊維などがあり、それらの繊維素材をスパンレース法、サーマルボンド法、メルトブローン法などの加工法によって得られた不織布を用いることができるが、さらに、尿や体液などの漏れを防止するために液不浸透性があり、着用者の肌のカブレなどを防止するために透湿性を兼ね備えた不織布を用いるのが好ましい。
【００２３】
本実施形態の一対の立体ギャザー２１は、吸収体１３の左右各側縁において一重に設けられており、付け根側の部分は幅方向中央側に向かって斜めに起立し、中間部より先端側の部分は幅方向外側に向かって斜めに起立するものである。
【００２４】
次に、図３は、本実施形態に係る使い捨ておむつの展開平面図である。本実施形態の立体ギャザー２１は、幅方向外側の端部が吸収体１３の長手方向に沿ってトップシート１４およびバックシート１２と接合されている。また、一対の立体ギャザー２１は、トップシート１４から離れる方向に折り返される折り返し部２１ａを有しており、この折り返し部２１ａと相互に重なり合う一対のサイドシート１８の部分とを接合する接合部１９が形成されている。これによって、一対の立体ギャザー２１の有効長を短くすることができる。
【００２５】
接合部１９の接合手段として、ホットメルト接着剤等の接着、超音波接合や熱融着接合等を用いることができる。
【００２６】
立体ギャザー２１の有効長は、立体ギャザー２１の起立線１８ｄから立体ギャザー２１の自由端１８ｃまでの長さＬから立体ギャザー２１の折り返し部２１ａの長さ（図４（ｂ）ではＬ２、図４（ｃ）ではＬ５）を除いた長さであり、図４（ａ）ではＬ、図４（ｂ）ではＬ１＋Ｌ３、図４（ｃ）ではＬ４＋Ｌ６である。すなわち、折り返し部２１ａとサイドシート１８の重なり合う部分である接合部１９の接合する長さを変えることによって、立体ギャザー２１の有効長を変えることができる。本発明では、一対のサイドシート１８は腹側部１０Ｆまたは背側部１０Ｒにおける一端部から他端部までの立体ギャザー２１の有効長Ｌよりも股下部１０Ｃにおける一端部から他端部までの立体ギャザー２１の有効長（図４（ｂ）では、Ｌ１＋Ｌ３、図４（ｃ）では、Ｌ４＋Ｌ６）が短い。
【００２７】
接合部１９の幅方向の長さは、股下部１０Ｃの長手方向中央が長く、長手方向中央から長手方向外側につれて徐々に短くなっている。なお、本実施形態では、股下部１０Ｃのみに接合部１９を設けたが、腹側部１０Ｆおよび背側部１０Ｒに亘って設けてもよい。
【００２８】
次に、立体ギャザー２１の高さについて図４のそれぞれの断面図を用いて、説明する。
【００２９】
図４（ａ）は、本実施形態に係る使い捨ておむつにおいて、図３のＩＶａ−ＩＶａ断面図であり、背側部１０Ｒの断面図である。立体ギャザー２１は、立体ギャザー２１の有効長Ｌが他よりも長く立ち上がるように形成されている。立体ギャザー２１の折り返し部２１ａが設けられていない従来の立体ギャザー２１のものと同様の長さである。
【００３０】
図４（ｂ）は、本実施形態に係る使い捨ておむつにおいて、図３のＩＶｂ−ＩＶｂ断面図であり、股下部１０Ｃの長手方向外側の断面図である。立体ギャザー２１は、立体ギャザー２１の有効長（Ｌ１＋Ｌ３）が、図４（ａ）の立体ギャザー２１の有効長（Ｌ）よりも短く立ち上がるように形成されている。折り返し部２１ａとサイドシート１８の重なり合い接合されるため、有効長（Ｌ１＋Ｌ３）が図４（ａ）に示す有効長Ｌよりも短くなっている。
【００３１】
図４（ｃ）は、本実施形態に係る使い捨ておむつにおいて、図３のＩＶｃ−ＩＶｃ断面図であり、股下部１０Ｃの長手方向中央の断面図である。立体ギャザー２１は、立体ギャザー２１の有効長（Ｌ４＋Ｌ６）が、他よりも短く立ち上がるように形成されている。折り返し部２１ａとサイドシート１８とが重なり合い接合されるため、有効長（Ｌ４＋Ｌ６）が図４（ａ）および図４（ｂ）に示す有効長（Ｌ、Ｌ１＋Ｌ３）よりも短くなっている。また、幅方向におけて、折り返し部２１ａの長さＬ５は、図４（ｂ）に示す折り返し部２１ａの長さＬ２よりも長くなっている。
【００３２】
このように、背側部または腹側部から股下部にかけて立体ギャザー２１の有効長を徐々に短くすることで、着用者が着用した際に、立体ギャザー２１が着用者の太股部分につぶされること無く着用者にフィットした状態で立ち上がることができる。また、立体ギャザー２１が着用者にフィットすることで体液などを立体ギャザー２１によって塞き止め、漏れにくくすることができる。
【００３３】
なお、本発明は、上述した実施形態に限られること無く、適宜の変形、修正および代替などが可能である。例えば、本実施形態では、接合部は楕円形状に接合したが、これに限らず、楕円形状の周縁を線状に接合してもよく、または、股下部中央の接合部の長くなるような形状であればよい。
【符号の説明】
【００３４】
１０    使い捨ておむつ
１０Ｆ  腹側部
１０Ｒ  背側部
１０Ｃ  股下部
１０Ｗ  ウエスト開口部
１１    カバーシート
１２    バックシート
１３    吸収体
１４    トップシート
１５    包装シート
１８    サイドシート
１９    接合部
２０    伸縮部材
２１    立体ギャザー
３      レグギャザー
【図１】
2019118502.tif 000003
【図２】
2019118502.tif 000004
【図３】
2019118502.tif 000005
【図４】
2019118502.tif 000006